(57)【要約】  既存の端子台の配置や取り付け部のベース形状を大幅に変更することなく、現地の配線作業者がアクセスし易い正面側に端子台を追加することができる構造を備えた空気調和装置の室外機を提供することを目的とする。熱交換器、室外ファン、圧縮機、及び電気部品を筐体の内部に備える空気調和装置の室外機において、空気調和装置の室外機は、電気部品に接続される端子台と、前記筐体の内側から外側を向いて設置される端子台取付部と、を備える。端子台は、端子台取付部に上下方向に並べて配置されており、下側に位置する第１の端子台と、上側に位置する第２の端子台と、を備える。第２の端子台は、端子台取付部に取り付けられた端子台座に取り付けられ、端子台座は、第２の端子台が取り付けられる取付部と、端子台取付部に接する固定部と、を備える。固定部は、取付部に対し面積が小さく、取付部は、第１の端子台側に向かって固定部から突出して形成されている。
2019198151.tif 000002
【特許請求の範囲】
【請求項１】
熱交換器、室外ファン、圧縮機、及び電気部品を筐体の内部に備える空気調和装置の室外機において、
前記電気部品に接続される端子台と、
前記筐体の内側から外側を向いて設置される端子台取付部と、を備え、
前記端子台は、
前記端子台取付部に上下方向に並べて配置されており、
下側に位置する第１の端子台と、
上側に位置する第２の端子台と、を備え、
前記第２の端子台は、
前記端子台取付部に取り付けられた端子台座に取り付けられ、
前記端子台座は、
前記第２の端子台が取り付けられる取付部と、
前記端子台取付部に接する固定部と、を備え、
前記固定部は、
前記取付部に対し面積が小さく、
前記取付部は、
前記第１の端子台側に向かって前記固定部から突出して形成されている、空気調和装置の室外機。
【請求項２】
前記第２の端子台の底面の前記第１の端子台側に位置する端部から前記端子台取付部までの距離は、
前記第１の端子台の前記端子台取付部からの高さよりも大きい、請求項１に記載の空気調和装置の室外機。
【請求項３】
前記第１の端子台に接続された配線は、
前記端子台座と前記第１の端子台との間を通る、請求項１又は２に記載の空気調和装置の室外機。
【請求項４】
前記第１の端子台に接続された配線は、
前記端子台座の前記第１の端子側を向いた側面と、
前記取付部の前記固定部からせり出した部分と、
前記端子台取付部と、
前記第１の端子の前記端子台座側を向いた側面と、により囲まれる領域に通される、請求項３に記載の空気調和装置の室外機。
【請求項５】
前記端子台座は、
前記第２の端子台の配線固定用ねじを覆うガード部を備える、請求項１〜４の何れか１項に記載の空気調和装置の室外機。
【請求項６】
前記ガード部は、
前記端子台座の側面部にノックアウト部を備える、請求項５に記載の空気調和装置の室外機。
【請求項７】
前記ガード部は、
前記配線固定用ねじに接続される配線の接続先が表示されている、請求項５又は６に記載の空気調和装置の室外機。
【発明の詳細な説明】
【技術分野】
【０００１】
本発明は、空気調和装置の室外機に関し、特に室内機との通信や電源供給などを行うために取り付ける端子台の配置構造に関する。
【背景技術】
【０００２】
空気調和装置の室外機は、接続される室内機との電気的通信及び室外機の運転用の電源供給等を行うため、外部からの配線を接続する端子台を有している。端子台は、一般的に接続する室内機と一対一の関係で接続されるものであり、室内機が複数台接続されるマルチタイプの室外機では端子台も複数必要となる。また、室外機の据付時又は接続される室内機を追加して設置する時に、現地において配線作業者が配線作業を行うため、端子台は、室外機の外部からアクセスし易い正面側に配置されることが望ましい。従来の端子台の配置構造としては、予め端子台を取り付けるための凹凸を有する端子台取付部を設け、端子台取付部の凹凸と嵌め合い関係となるような凹凸を設けた端子台を挿入するように並べて配置することができる構造が存在する（例えば、特許文献１参照）。
【先行技術文献】
【特許文献】
【０００３】
【特許文献１】特開２００６−８４１０６号公報
【発明の概要】
【発明が解決しようとする課題】
【０００４】
従来の端子台配置構造は、予め設置されている端子台以外に端子台を追加することが出来ず、取り付け可能な数以上の端子台が必要となった際に、増設面積不足となるという課題があった。そのような場合には、端子台を配置するためのスペースを拡張する必要があり、端子台取付部を大幅に変更する必要がある。また、端子台取付部を大幅変更することなく端子台を側面側に配置した場合、現地における配線作業が困難になってしまうという課題がある。【０００５】
本発明は、上記のような課題を解決するためになされたもので、既存の端子台の配置や端子台取付部の形状を大幅に変更することなく、現地の配線作業者がアクセスし易い正面側に端子台を追加することができる構造を備えた空気調和装置の室外機を得るものである。
【課題を解決するための手段】
【０００６】
本発明に係る空気調和装置の室外機は、熱交換器、室外ファン、圧縮機、及び電気部品を筐体の内部に備える空気調和装置の室外機において、前記電気部品に接続される端子台と、前記筐体の内側から外側を向いて設置される端子台取付部と、を備え、前記端子台は、前記端子台取付部に上下方向に並べて配置されており、下側に位置する第１の端子台と、上側に位置する第２の端子台と、を備え、前記第２の端子台は、前記端子台取付部に取り付けられた端子台座に取り付けられ、前記端子台座は、前記第２の端子台が取り付けられる取付部と、前記端子台取付部に接する固定部と、を備え、前記固定部は、前記取付部に対し面積が小さく、前記取付部は、前記第１の端子台側に向かって前記固定部から突出して形成されている。
【発明の効果】
【０００７】
本発明に係る空気調和装置の室外機によれば、上記構成により、配線する空間を確保しつつ端子台を筐体の上下方向に並べて配置することができ、端子台取付部を拡張することなく配線作業者がアクセスし易い位置に端子台を追加することができる。
【図面の簡単な説明】
【０００８】
【図１】実施の形態１に係る空気調和装置の室外機の斜視図である。
【図２】図１の電気部品の拡大図である。
【図３】図２の端子台の詳細構造の説明図である。
【図４】図２の増設の端子台の分解図である。
【図５】図２の既設の端子台及び増設の端子台を含む断面構造の説明図である。
【図６】図２の増設の端子台及び端子台座の拡大図である。
【図７】図５の増設の端子台及び端子台座の側面図である。
【図８】図５の増設の端子台からガード部を取り外した状態の説明図である。
【発明を実施するための形態】
【０００９】
実施の形態１．
以下に、空気調和装置の室外機１００の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１０】
図１は、実施の形態１に係る空気調和装置の室外機１００の斜視図である。空気調和装置の室外機１００の筐体１は、天面パネル２ａ、風路正面パネル２ｂ、機械室正面上パネル２ｃ、背面上パネル２ｄ、機械室正面下パネル２ｅ、背面下パネル２ｆで構成されている。筐体１の内部は、送風ファン３及び熱交換器（図示無し）が配置される主風路４と、内部に圧縮機６及び電気部品５が配置されている機械室７と、に仕切り板により区画されている。図１は、機械室７から機械室正面上パネル２ｃが外された状態を示している。空気調和装置の室外機１００を据付する際に、現地配線作業者は、機械室正面上パネル２ｃが外された状態で作業を行う。
【００１１】
図２は、図１の電気部品５の拡大図である。図３は、図２の端子台１０ａの詳細構造の説明図である。電気部品５は、外郭が金属製の外郭板金８に覆われており、内部に基板９ａ、９ｂ及び配線が配置されている。筐体１の正面側には、既存の端子台１０ａ〜１０ｄが配置されている。既存の端子台１０ａ〜１０ｄは、外郭板金８の筐体１の正面側の端部から下方に向かって延びる端子台取付部３０に固定されており、筐体１の左右方向に沿って並べられている。図３に示されている様に、既存の端子台１０ａ〜１０ｄは、配線固定用ねじ１１を備え、配線１２を配線固定用ねじ１１により端子金具４０に固定できるように構成されている。
【００１２】
端子台１０ａと増設の端子台１３とは筐体１の上下方向に並べて配置されている。端子台１０ａの上方には、増設の端子台１３が取り付けられている。増設の端子台１３は、端子台取付部３０に固定された端子台座１４の取付部５０の平面に固定されている。つまり、増設の端子台１３は、既設の端子台１０ａ〜１０ｄと並列に設けられているのではなく、端子台取付部３０からの高さ位置を既設の端子台１０ａ〜１０ｄとはずらして固定されている。
【００１３】
図４は、図２の増設の端子台１３の分解図である。端子台座１４は、端子台取付部３０に固定用ビス１５ａ、１５ｂにより固定される。固定用ビス１５ａ、１５ｂは、端子台座１４に設けられた穴に通され、端子台取付部３０のビス穴に螺合して固定される。増設の端子台１３は、端子台座１４の取付部５０にビス１５ｃにより固定される。
【００１４】
図５は、図２の既設の端子台１０ａ及び増設の端子台１３を含む断面構造の説明図である。端子台座１４は、端子台１０ａの上方に並列に固定されている。増設の端子台１３は、端子台座１４を介して端子台取付部３０に固定されている。
【００１５】
端子台座１４の端子台取付部３０に固定されている部分である固定部５１は、端子台１３が固定されている取付部５０よりも小さく形成されている。そして、取付部５０は、固定部５１よりも既設の端子台１０ａ側に突出している。つまり、断面構造としては、取付部５０と、増設の端子台１３の既設の端子台１０ａ側の側面と、端子台取付部３０と、既設の端子台１０ａの端子台座１４側の側面とに囲まれる空間１７が形成されている。このように構成されることにより、増設の端子台１３は、端子台取付部３０に垂直な方向から見た時に既設の端子台１０ａに近い位置に設置されても、配線１６を通すことが出来る空間１７が確保される。そのため、狭い領域であっても増設の端子台１３を設置することが可能となる。また、既設の端子台１０ａと増設の端子台１３とは、端子台取付部３０に垂直な方向から見た状態で近い位置に配置されているが、端子台取付部３０からの高さ方向の位置が異なるため、配線作業も容易になるという利点がある。
【００１６】
図５に示される様に、増設の端子台１３が固定されている端子台座１４は、既設の端子台１０ａ側を向いている側面が上方に凹んだ形に形成されている。空間１７は、端子台座１４の取付部５０に覆われており、空間１７に面する端子台座１４の側面と取付部５０との隅部１８は、湾曲した曲面に形成されている。つまり、既設の端子台座１４から延びる配線１６は、取付部５０により抑え込む構造になっている。
【００１７】
また、増設の端子台１３は、底面の既設の端子台１０ａ側に位置する端部から端子台取付部３０までの距離が、既設の端子台１０ａの端子台取付部３０からの高さよりも大きく形成されている。このように構成されることにより、既設の端子台１０ａに接続された配線１６は、増設の端子台１３が設置されていても接続方法を変えることなく設置できる。
【００１８】
図６は、図２の増設の端子台１３及び端子台座１４の拡大図である。図７は、図５の増設の端子台１３及び端子台座１４の側面図である。図８は、図５の増設の端子台１３からガード部１９を取り外した状態の説明図である。図６に示される様に端子台座１４は、ガード部１９を設けることができる。増設の端子台１３は、端子台座１４に設けられたガード部１９と取付部５０との間に挿入され、固定される。ガード部１９は、増設の端子台１３の配線固定用ネジを覆うように設けられており、表面に接続先の内容などを表記することができる。
【００１９】
ガード部１９は、端子台座１４の側面部において取付部５０に向かって延びる２つの脚部５２を備える。２つの脚部５２にはノックアウト部２０が形成されており、配線作業者が容易に取り外しできる構造になっている。増設の端子台１３に接続される配線２１は、配線固定用ネジを取り外し、挟み込むように配線を固定するため、配線固定用ネジの取り外し作業が必要不可欠である。ガード部１９を取り外す前の状態では、配線固定用ネジがガード部１９によって覆われており取り外すことが出来ない。そのため、端子台が複数存在している場合などにおいて、配線を接続する端子台を視覚的に認識してからガード部１９を取り外す作業を行うことができ、配線の誤接続を防止することができる。ガード部１９は、接続先の表示がされることにより、更に配線の接続を確実に行うことができる。
【００２０】
以上において、空気調和装置の室外機１００に増設の端子台１３は、１つのみ設置されている形態を説明したが、増設の端子台１３及び端子台座１４を左右方向にさらに並べて設置してもよい。このように構成されることにより、空気調和装置の室外機１００に更に多くの室内機を接続することも可能になる。増設の端子台１３及び端子台座１４が増えても、上述したように既設の端子台１０ａ〜１０ｄに接続される配線１６は、配置する空間１７が確保されているため、作業性も低下することなく配置できる。
【符号の説明】
【００２１】
１  筐体、２ａ  天面パネル、２ｂ  風路正面パネル、２ｃ  機械室正面上パネル、２ｄ  背面上パネル、２ｅ  機械室正面下パネル、２ｆ  背面下パネル、３  送風ファン、４  主風路、５  電気部品、６  圧縮機、７  機械室、８  外郭板金、９ａ  基板、９ｂ  基板、１０ａ  端子台、１０ｂ  端子台、１０ｃ  端子台、１０ｄ  端子台、１１  配線固定用ねじ、１２  配線、１３  端子台、１４  端子台座、１５ａ  固定用ビス、１５ｂ  固定用ビス、１５ｃ  ビス、１６  配線、１７  空間、１８  隅部、１９  ガード部、２０  ノックアウト部、２１  配線、３０  端子台取付部、４０  端子金具、５０  取付部、５１  固定部、５２  脚部、１００  室外機。
【図１】
2019198151.tif 000003
【図２】
2019198151.tif 000004
【図３】
2019198151.tif 000005
【図４】
2019198151.tif 000006
【図５】
2019198151.tif 000007
【図６】
2019198151.tif 000008
【図７】
2019198151.tif 000009
【図８】
2019198151.tif 000010
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
熱交換器、室外ファン、圧縮機、及び電気部品を筐体の内部に備える空気調和装置の室外機において、
前記電気部品に接続される端子台と、
前記筐体の内側から外側を向いて設置される端子台取付部と、を備え、
前記端子台は、
前記端子台取付部に上下方向に並べて配置されており、
下側に位置する第１の端子台と、
上側に位置する第２の端子台と、を備え、
前記第２の端子台は、
前記端子台取付部に取り付けられた端子台座に取り付けられ、
前記端子台座は、
前記第２の端子台が取り付けられる取付部と、
前記端子台取付部に接する固定部と、を備え、
前記固定部は、
前記取付部に対し面積が小さく、
前記取付部は、
前記第１の端子台側に向かって前記固定部から突出して形成されている、空気調和装置の室外機。
【請求項２】
前記固定部は、前記第１の端子台よりも上方に位置している、請求項１に記載の空気調和装置の室外機。
【請求項３】
前記第２の端子台の底面の前記第１の端子台側に位置する端部から前記端子台取付部までの距離は、
前記第１の端子台の前記端子台取付部からの高さよりも大きい、請求項１又は２に記載の空気調和装置の室外機。
【請求項４】
前記第１の端子台に接続された配線は、
前記端子台座と前記第１の端子台との間を通る、請求項１〜３の何れか１項に記載の空気調和装置の室外機。
【請求項５】
前記第１の端子台に接続された配線は、
前記端子台座の前記第１の端子台側を向いた側面と、
前記取付部の前記固定部からせり出した部分と、
前記端子台取付部と、
前記第１の端子台の前記端子台座側を向いた側面と、により囲まれる領域に通される、請求項４に記載の空気調和装置の室外機。
【請求項６】
前記端子台座は、
前記第２の端子台の配線固定用ねじを覆うガード部を備える、請求項１〜５の何れか１項に記載の空気調和装置の室外機。
【請求項７】
前記ガード部は、
前記端子台座の側面部にノックアウト部を備える、請求項６に記載の空気調和装置の室外機。
【請求項８】
前記ガード部は、
前記配線固定用ねじに接続される配線の接続先が表示されている、請求項６又は７に記載の空気調和装置の室外機。
【国際調査報告】
2019198151.tif 000011
2019198151.tif 000012
2019198151.tif 000013
2019198151.tif 000014